(57)【要約】【課題】記録媒体との相互認証の回数の削減と低消費電力とを両立する制御装置を提供すること。【解決手段】制御装置は、相互に認証を行った記録媒体からのデータの読み出し又は記録媒体へのデータの書き込みを行う。制御装置は、記録媒体とのインターフェースであるインターフェース部と、認証の際に生成された鍵データ及び認証情報を記憶する記憶部と、制御装置が記録媒体からのデータの読み出し又は記録媒体へのデータの書き込みを行うか否かに応じて電力供給を制御する制御部と、を備える。制御装置が記録媒体からのデータの読み出し又は記録媒体へのデータの書き込みを行わない間、制御部は、記憶部のみに電力供給するよう制御する。【選択図】図１
2008054090.tif 000002
【特許請求の範囲】
【請求項１】
相互に認証を行った記録媒体からのデータの読み出し又は前記記録媒体へのデータの書き込みを行う制御装置であって、
前記記録媒体との間のインターフェースであるインターフェース部と、
前記認証の際に生成された鍵データ及び認証情報を記憶する記憶部と、
前記制御装置が前記記録媒体からのデータの読み出し又は前記記録媒体へのデータの書き込みを行うか否かに応じて電力供給を制御する制御部と、を備え、
前記制御装置が前記記録媒体からのデータの読み出し又は前記記録媒体へのデータの書き込みを行わない間、前記制御部は、前記記憶部のみに電力供給するよう制御することを特徴とする制御装置。
【請求項２】
請求項１に記載の制御装置であって、
前記記憶部は、前記鍵データ及び前記認証情報の組を複数組記憶することを特徴とする制御装置。
【請求項３】
請求項１又は２に記載の制御装置であって、
前記認証情報は、前記鍵データの格納位置を示す鍵データ格納位置情報と、前記鍵データの属性を示す認証種別情報とを含むことを特徴とする制御装置。
【発明の詳細な説明】
【技術分野】
【０００１】
本発明は、相互に認証を行った記録媒体からのデータの読み出し又は前記記録媒体へのデータの書き込みを行う制御装置に関する。
【背景技術】
【０００２】
特開２００４−３２０１７４号公報は、記録媒体との入出力インターフェースを用いて、記録媒体と相互に認証を行う技術を開示している。当該技術によれば、著作権保護機能を有する記録媒体を外部の記録媒体として用いる電子機器が、当該記録媒体と相互に認証することができる。また、特開２００３−０９９３３２号公報は、同時に複数の認証状態を保持可能な技術を開示している。当該技術によれば、認証の種別によって複数の異なる鍵を保持することができる。
【０００３】
【特許文献１】特開２００４−３２０１７４号公報
【特許文献２】特開２００３−０９９３３２号公報
【発明の開示】
【発明が解決しようとする課題】
【０００４】
上記技術は、携帯電話等の電子機器で利用される。電子機器が外部の記録媒体にアクセスする際、電子機器は、記録媒体と相互に認証を行う。特に、バッテリで駆動する携帯電話等の電子機器は、記録媒体からのデータの読み出し又は記録媒体へのデータの書き込みを行わない間は、認証情報等が格納されるＳＲＡＭを含む一部の内部回路に電力を供給しないことによって低消費電力化を実現している。しかし、当該電子機器においては、電力の供給が途絶えて認証情報が消去された後、電子機器が記録媒体に再びアクセスする際には、電子機器は再び同様の相互認証を行う必要がある。このため、一度認証を行った記録媒体であっても、再び相互認証を行う必要がある場合がある。このように、バッテリで駆動する電子機器では、低消費電力化は実現できるがユーザビリティが犠牲となっていた。
【０００５】
本発明の目的は、記録媒体との相互認証の回数の削減と低消費電力とを両立する制御装置を提供することである。
【課題を解決するための手段】
【０００６】
本発明は、相互に認証を行った記録媒体からのデータの読み出し又は前記記録媒体へのデータの書き込みを行う制御装置であって、前記記録媒体とのインターフェースであるインターフェース部と、前記認証の際に生成された鍵データ及び認証情報を記憶する記憶部と、前記制御装置が前記記録媒体からのデータの読み出し又は前記記録媒体へのデータの書き込みを行うか否かに応じて電力供給を制御する制御部と、を備え、前記制御装置が前記記録媒体からのデータの読み出し又は前記記録媒体へのデータの書き込みを行わない間、前記制御部は、前記記憶部のみに電力供給するよう制御する制御装置を提供する。
【０００７】
上記制御装置では、前記記憶部は、前記鍵データ及び前記認証情報の組を複数組記憶する。
【０００８】
上記制御装置では、前記認証情報は、前記鍵データの格納位置を示す鍵データ格納位置情報と、前記鍵データの属性を示す認証種別情報とを含む。
【発明の効果】
【０００９】
本発明に係る制御装置によれば、記録媒体との相互認証の回数の削減と低消費電力とを両立することができる。
【発明を実施するための最良の形態】
【００１０】
以下、本発明の実施形態について、図面を参照して説明する。以下説明する実施形態の制御装置は、記録型ＤＶＤやメモリカード等の記録媒体と相互に認証を行って、ＣＰＲＭ（Content Protection for Recordable Media）等の著作権保護の規格に基づいて暗号化されたデータを記録媒体から読み出したり記録媒体に書き込む。
【００１１】
図１は、一実施形態の制御装置を示すブロック図である。図１に示すように、本実施形態の制御装置１０１は、入出力ＩＦ部１０４と、認証処理部１０５と、暗号化／復号化部１０３と、制御部１０２と、記憶部１０６とを備える。
【００１２】
入出力ＩＦ部１０４は、記録型ＤＶＤやメモリカード等の外部の記録媒体１０７との間のインターフェースである。認証処理部１０５は、記録媒体１０７との相互認証を行って、入出力ＩＦ部１０４が記録媒体１０７から得た情報を用いて記録媒体１０７に固有の鍵データを生成する。暗号化／復号化部１０３は、認証処理部１０５が生成した鍵データを用いて、記録媒体１０７から読み出したデータを復号化したり平文データを暗号化する。
【００１３】
制御部１０２は、記録媒体１０７からのデータの読み出し及び記録媒体１０７へのデータの書き込みを制御する。また、制御部１０２は、入出力ＩＦ部１０４、認証処理部１０５及び暗号化／復号化部１０３への電力の供給を制御する。制御部１０２は、記録媒体１０７からのデータの読み出し又は記録媒体１０７へのデータの書き込みを行わない間は、記憶部１０６のみに電力供給し、入出力ＩＦ部１０４、認証処理部１０５及び暗号化／復号化部１０３には電力供給しないよう制御する。
【００１４】
認証処理部１０５が生成する鍵データは、制御装置１０１がアクセスする記録媒体毎に異なるが、記録媒体１０７から読み出すデータ又は記録媒体１０７に書き込むデータ（例えば、音楽データや映像データ）の属性によっても異なる。制御部１０２は、認証処理部１０５が生成した鍵データと共に、データの属性も認証種別として記憶部１０６に格納する。記憶部１０６は、認証処理部１０５が生成した鍵データ及びデータの属性（認証種別）をそれぞれ異なる領域に分けて記憶する。図２に示すように、記憶部１０６は、鍵データ記憶領域２０２と認証情報記憶領域２０３とを有する。鍵データ記憶領域２０２には、鍵データが格納される。一方、認証情報記憶領域２０３には、各鍵データの格納位置を示す鍵データ格納位置情報と、各鍵データの属性を示す認証種別情報とが格納される。なお、記憶部１０６には、鍵データと鍵データ格納位置情報と認証種別情報の組が複数組格納可能である。
【００１５】
以上説明したように、本実施形態の制御装置１０１によれば、記憶部１０６には鍵データ記憶領域２０２と認証情報記憶領域２０３の２つの領域が設けられているため、複数種類の認証状態を同時に保持することができる。このため、制御装置１０１が認証済みの属性のデータを記録媒体１０７から読み出す場合又は認証済みの属性のデータを記録媒体１０７に書き込む場合には、制御装置１０１は認証を再度行う必要はない。
【００１６】
また、制御装置１０１が記録媒体１０７からのデータの読み出し又は記録媒体１０７へのデータの書き込みを行わない間、制御部１０２は、記憶部１０６のみに電力を供給し、入出力ＩＦ部１０４、認証処理部１０５及び暗号化／復号化部１０３には電力を供給しないよう制御する。記憶部１０６がＳＲＡＭの場合、電力の供給が断たれると鍵データ記憶領域２０２及び認証情報記憶領域２０３に格納された情報は全て消去されてしまうが、本実施形態制御装置１０１では、記憶部１０６には常に電力が供給されるため、記憶部１０６に格納された情報は消去されない。
【００１７】
以上より、消費電力を低く抑えつつ、記録媒体１０７との相互認証の回数を少なくすることができる。なお、制御装置１０１は、集積回路によって構成されてもディスクリート部品によって構成されても良い。
【産業上の利用可能性】
【００１８】
本発明に係る制御装置は、相互に認証を行った記録媒体からのデータの読み出し又は前記記録媒体へのデータの書き込みを行う電子機器等として有用である。
【図面の簡単な説明】
【００１９】
【図１】一実施形態の制御装置を示すブロック図
【図２】記憶部に格納された情報を示すブロック図
【符号の説明】
【００２０】
１０１  制御装置
１０２  制御部
１０３  暗号化／復号化部
１０４  入出力ＩＦ部
１０５  認証処理部
１０６  記憶部
１０７  記録媒体
【図１】
2008054090.tif 000003
【図２】
2008054090.tif 000004